(57)【要約】【課題】  燃焼式作業工具における燃焼ガスの冷却効率を高め、ピストンを初期位置に確実に戻すことができる技術を提供する。【解決手段】  本発明の燃焼式作業工具１０１は、燃焼室１２１，１２２と、燃焼室１２１，１２２に連接されたシリンダ１５３と、シリンダ１５３内に摺動可能に収容されたピストン１５５と、を有し、燃焼室１２１，１２２で燃料が燃焼することによって生じた燃焼圧力によりピストン１５５を前進移動させて所定の加工作業を遂行する。燃料の燃焼後において、燃焼室内の燃焼ガスの冷却に伴い発生する当該燃焼室１２１，１２２内の負圧により当該燃焼室１２１，１２２内に外部の空気を導入するとともに、当該導入された空気によって燃焼ガスを冷却する構成とした。【選択図】  図4
2006305660.tif 000002
【特許請求の範囲】
【請求項１】
燃焼室と、
燃焼室に連接されたシリンダと、
シリンダ内に摺動可能に収容されたピストンと、を有し、
前記燃焼室で燃料が燃焼することによって生じた燃焼圧力により前記ピストンを前進移動させて所定の加工作業を遂行する燃焼式作業工具であって、
前記燃料の燃焼後において、前記燃焼室内の燃焼ガスの冷却に伴い発生する当該燃焼室内の負圧により当該燃焼室内に外部の空気を導入するとともに、当該導入された空気によって前記燃焼ガスを冷却する構成としたことを特徴とする燃焼式作業工具。
【請求項２】
請求項１に記載の燃焼式作業工具であって、
前記外部の空気が前記燃焼室の中央領域へ導入されることを特徴とする燃焼式作業工具。
【請求項３】
請求項１または２に記載の燃焼式作業工具であって、
前記燃焼室に燃料を供給する燃料供給装置を有し、前記燃焼室への空気の導入は、前記燃料供給装置の燃料供給経路を通して行うことを特徴とする燃焼式作業工具。
【発明の詳細な説明】
【技術分野】
【０００１】
本発明は、可燃性ガスを燃焼させた際に生ずる高圧力（衝撃力）を利用して所定の加工作業を遂行する作業工具、すなわち燃焼式作業工具におけるピストンの引き戻し技術に関する。
【背景技術】
【０００２】
いわゆる燃焼式作業工具に関し、釘打機やタッカ等の作業工具の駆動源としてピストン・シリンダ式の内燃機関を用いた具体例が、特開２００３−１３６４２４号公報（特許文献１）に開示されている。特許文献１では、燃焼室とシリンダの間に流れ絞り部材を設け、燃焼室内で燃焼した可燃性ガスが膨張し、シリンダ内に流れ込む際に攪拌流れを発生させ、当該攪拌流れによる強制対流でシリンダを効率良く冷却できるようにしてピストンの戻り時間を短縮する構成としている。
【０００３】
上記の特許文献１に開示された技術は、シリンダ内に発生させた強制対流により、当該シリンダ内の燃焼ガスとシリンダ内壁との間での熱伝達率を向上させ、これによりシリンダ内の燃焼ガスを冷却する構成としたものであるが、冷却効率の点で、なお改良の余地がある。
【特許文献１】特開２００３−１３６４２４号公報
【発明の開示】
【発明が解決しようとする課題】
【０００４】
本発明は、かかる点に鑑みてなされたものであり、燃焼式作業工具における燃焼ガスの冷却効率を高め、ピストンを初期位置に確実に戻すことができる技術を提供することを目的とする。
【課題を解決するための手段】
【０００５】
上記課題を達成するため、特許請求の範囲の各請求項に記載の発明が構成される。
請求項１に記載の発明によれば、燃焼室と、燃焼室に連接されたシリンダと、シリンダ内に摺動可能に収容されたピストンと、を有し、燃焼室で燃料が燃焼することによって生じた燃焼圧力によりピストンを前進移動させて所定の加工作業を遂行する燃焼式作業工具が構成される。燃焼室には、燃料が噴霧状に供給されて空気と混合され、いわゆる可燃性ガス燃料が生成される。可燃性ガス燃料を点火装置によって燃焼させると、燃焼室内の可燃性ガス燃料の燃焼作用によって生じた燃焼圧力でピストンが先端側へと移動し、これにより所定の加工作業を遂行する。「所定の加工作業」としては、典型的には、釘やステープル等を被加工材に打込むための作業がこれに該当する。
【０００６】
本発明における燃焼式作業工具は、特徴的構成として、燃料の燃焼後において、燃焼室内の燃焼ガスの冷却に伴い発生する当該燃焼室内の負圧により当該燃焼室内に外部の空気を導入するとともに、当該導入された空気によって燃焼ガスを冷却する構成としている。なお本発明における「負圧」とは、大気圧よりも低い圧力をいう。また「外部の空気を導入する」態様としては、燃焼式作業工具の内部空間から空気を導入する態様、燃焼式作業工具の外側の大気中から空気を導入する態様のいずれも好適に包含する。燃焼式作業工具による加工作業時において、燃焼室内における可燃性ガス燃料の燃焼作用でピストンが前進移動されると、その後、燃焼室内の燃焼ガスが冷却することに伴い当該燃焼室内に負圧が発生し、この負圧によりピストンが初期位置に後退動作される。本発明によれば、燃焼室内に燃焼ガスの冷却による負圧が生じたとき、当該負圧を利用して外部の空気を燃焼室内に導入し、この導入された空気によって燃焼ガスを冷却する構成である。燃焼室内に導入された空気は、当該燃焼室内の燃焼ガスに直接触れることで冷却する。この場合、例えば燃焼室の壁面に近い周辺領域と壁面から離れている中央領域とでは燃焼ガスに温度差が存在することから、当該温度差を解消するような態様で空気を導入することが好ましい。本発明によれば、燃焼室内の燃焼ガスが効率良く冷却されることになり、この燃焼ガスの冷却により生ずる負圧によってピストンの初期位置への後退動作を確実に、あるいは素早く行うことが可能となる。
【０００７】
（請求項２に記載の発明）
請求項２に記載の発明によれば、請求項１に記載の燃焼式作業工具において、外部の空気が、燃焼室の中央領域に導入される構成としている。燃焼室内における燃焼ガスは、燃焼室の壁面に近い周辺領域では当該壁面との間での熱伝達によって効率的に冷却されるが、壁面から離れた中央領域では冷却され難い。本発明によれば、燃焼室内の中央領域に空気を導入する構成としたことによって、主として壁面との熱伝達による冷却作用が及び難い中央領域における燃焼ガスを冷却できる結果、当該燃焼ガスをより効率的に冷却し、ピストンを初期位置に確実に戻すことが可能となる。
【０００８】
（請求項３に記載の発明）
請求項３に記載の発明によれば、請求項１または２に記載の燃焼式作業工具において、燃焼室に燃料を供給する燃料供給装置を有し、燃焼室への空気の導入は、燃料供給装置の燃料供給経路を通して行う構成としている。本発明によれば、燃焼室に燃料を供給する燃料供給装置を利用して燃焼室に対する空気の導入を行うことができるため、合理的な空気の導入方式が構築される。また燃料供給と空気の導入を１つの装置で兼用できるため、燃料供給と空気の導入を個別的に行う構成に比べて、燃焼式作業工具の構造の簡素化、小型化、コストの低減化等を図る上で有利となる。
【発明の効果】
【０００９】
本発明によれば、燃焼式作業工具における燃焼ガスの冷却効率を高め、ピストンを初期位置に確実に戻すことができる技術が提供されることとなった。
【発明を実施するための最良の形態】
【００１０】
（本発明の第１の実施形態）
以下、本発明の第１の実施形態につき、図面を参照しつつ、詳細に説明する。本発明の第１の実施形態に係る釘打機１０１の全体構成が図１〜図３に示され、また燃焼室周辺部が図４に拡大図として示されている。釘打機１０１は、本発明における「燃焼式作業工具」の一例であり、図１〜図３に示すように、ハウジング１０３、射出部１１０、ハンドグリップ１０５、便宜上図示しないマガジンにより、その外郭が形成されている。ハウジング１０３内には、第１燃焼室１２１、第２燃焼室１２２、点火装置１３１、燃料噴射装置１４１、および駆動部１５１が収容される。すなわち、本実施の形態に係る釘打機１０１は、第１燃焼室１２１と第２燃焼室とからなる複数の燃焼室を有する構成とされる。なお以下においては、射出部１１０側を前側（図１〜図３における左側）、その反対側（図１〜図３における右側）を後側として説明する。
【００１１】
本実施の形態では、第１燃焼室１２１につき、後述する混合気の点火領域として使用するとともに、第２燃焼室１２２につき、釘打込み作業に必要な大きな燃焼エネルギを得るための領域として使用するよう構成されている。
第１燃焼室１２１は、当該第１燃焼室１２１を第２燃焼室１２２と区画するための外形が円形の隔壁部１２３と、第２燃焼室１２２と反対側に位置する概ね平坦状の端部壁面を有する円形のスライドエンドプレート１２９とによって囲まれて形成されている。すなわち、隔壁部１２３は、外周側には平坦面部１２３ａを備え、中央部側には第２燃焼室１２２側に膨出する球面状部分１２３ｂを備えた構成とされており、平坦面部１２３ａがスライドエンドプレート１２９の端部壁面に密接状に接触されて固定されている。隔壁部１２３の球面状部分１２３ｂは、点火装置１３１の点火部を中心として概ね等径かつ半球状に形成されている。隔壁部１２３の球面状部分１２３ｂには多数の連通孔１２５が穿設状に形成されている。この連通孔１２５を介して第１燃焼室１２１と第２燃焼室１２２とが連通状態とされる。すなわち、点火部から各連通孔１２５までの距離がそれぞれ等距離となるように設定され、第１燃焼室１２１内の混合気が点火装置１３１の点火部によって点火されて燃焼される際、当該第１燃焼室１２１内の燃焼面（火焔面）が各連通孔１２５に概ね同時に到達するよう構成されている。なお点火部は、互いに所定の間隙を隔てて対向状に配置される２つの電極１３３ａ，１３３ｂによって構成されるが，このことについては後述する。
【００１２】
第２燃焼室１２２は、駆動部を構成するピストン１５５、円筒形のスライドスリーブ１２７およびピストン１５５と対向状に配置される隔壁部１２３によって囲まれる空間として形成される。なおピストン１５５の頂面（隔壁部１２３との対向面）は、隔壁部１２３の球面状部分１２３ｂに対応する相似形状に形成された球面状凹部１５５ａとされている。隔壁部１２３とスライドエンドプレート１２９は、周方向に配置される複数のネジ１２４によって相互に締結固定され、スライドスリーブ１２７とスライドエンドプレート１２９は、周方向に配置される複数のネジ１２８によって相互に締結固定されており、これら３つの部材によって前端が開放された筒状の燃焼室壁１２６が構成されている。すなわち、スライドスリーブ１２７によって第２燃焼室１２２の周壁面を構成し、隔壁部１２３によって第２燃焼室１２１の端部壁面および第１燃焼室１２１の球面状壁面をそれぞれ構成し、スライドエンドプレート１２９によって第１燃焼室１２１の端部壁面を構成している。
【００１３】
燃焼室壁１２６は、釘打機１０１の長軸方向（前後方向）への移動が可能とされ、コンタクトアーム１１１と連結されている。そしてコンタクトアーム１１１は、付勢手段としてのスプリング（図示省略）によって常時には先端側（前方）へと付勢されており、燃焼室壁１２６も前方へと移動されている。この状態が図１に示す釘打機１０１の初期状態であり、第２燃焼室１２２の容積が零または零に近い状態まで減少されている。
【００１４】
一方、釘打機１０１を被加工材Ｗ（図２参照）に向かって移動させるとともにコンタクトアーム１１１を被加工材Ｗに押し付けると、当該被加工材Ｗにて押されたコンタクトアーム１１１は、スプリングの付勢力に抗して反対方向（後側）へと移動される。このコンタクトアーム１１１の後退動作は、スライドスリーブ１２７に伝達される。このため、燃焼室壁１２６が後述する大気室１７１の端部壁面を構成する固定エンドプレート１７５側へと移動され、スライドエンドプレート１２９の端部が当該固定エンドプレート１７５に接触する。この状態が図２に示されている。
【００１５】
燃焼室壁１２６が前後方向に移動することに伴い第２燃焼室１２２の容積は、減少あるいは増加する。このように、第２燃焼室１２２は、燃焼室壁１２６の移動に伴い容積が変化する構成とされるが、相互に固定されて一体に移動する隔壁部１２３とスライドエンドプレート１２９によって形成される第１燃焼室１２１は、容積が変化しない定常的な容積を有する構成とされる。すなわち、燃焼室は燃焼室壁１２６が前後に移動しても容積が変化しない第１燃焼室１２１と、容積が変化する第２燃焼室１２２とから構成されている。
【００１６】
燃焼室壁１２６におけるスライドスリーブ１２７の前端部（開口端側）には、内周径が小径とされた小径部１２７ａが形成されている。この小径部１２７ａは、燃焼室壁１２６が後端部に位置しているときには、その内周面が後述するシリンダ１５３の端部外周に形成された円形のフランジ部１５３ａと外周面にＯリング１５４を介してシールすることで第２燃焼室１２２を密封する構成とされる。そして燃焼室壁１２６が前方へと移動されたときには、小径部１２７ａは、移動開始後、間もなくフランジ部１５３ａ（Ｏリング１５４）から離れ、Ｏリング１５４の外周と、スライドスリーブ１２７の内周面との間に間隙１２７ｂが生じ、この間隙１２７ｂを介して第２燃焼室１２２がハウジング１０３の内部空間１０４（ハウジング１０３とシリンダ１５３外周面間の間隙であり、釘打機１０１の外部に連通される）に連通される構成とされる。
【００１７】
スライドエンドプレート１２９を挟んで第１および第２燃焼室１２１，１２２の反対側（後側）には、大気室１７１が形成されている。大気室１７１は、円筒状の固定スリーブ１７７、当該固定スリーブ１７７内に摺動自在に嵌入されるスライドエンドプレート１２９および当該スライドエンドプレート１２９に対向状に配置される固定エンドプレート１７５によって囲まれる空間として形成される。なお固定エンドプレート１７５と固定スリーブ１７７は一体に形成されている。固定エンドプレート１７５によって大気室１７１の端部壁面が構成され、固定スリーブ１７７によって大気室１７１の周壁面が構成され、これら両部材によって前端部が開放された筒状の大気室壁１７３が構成されている。固定スリーブ１７７とスライドエンドプレート１２９の摺動面は、Ｏリング１７９を介してシールされている。
【００１８】
固定エンドプレート１７５は、外周縁部がハウジング１０３の後端部に配置される多数の通気孔１０６ｂを有するハウジングキャップ１０６とともに、当該ハウジング１０３に図示省略のネジによって共締めによって締結されている。このように、大気室１７１は、第１および第２燃焼室１２１，１２２から分離されかつ固定された空間であって、燃焼室壁１２６の移動、直接的にはスライドエンドプレート１２９の移動に伴い容積が変化する空間として設定される。すなわち、スライドエンドプレート１２９が、第２燃焼室１２２の容積を減少させる方向へ移動（前進）するときには、大気室１７１の容積が増大し、第２燃焼室１２２の容積を増大させる方向へ移動（後退）するときには、大気室１７１の容積が減少する構成とされる。そして大気室１７１の最大容積は、第２燃焼室１２１の容積が最大とされたときの第１および第２燃焼室１２１，１２２の総容積よりも大きく設定されている。
【００１９】
大気室壁１７３における固定エンドプレート１７５には、当該固定エンドプレート１７５とハウジングキャップ１０６によって囲まれる空間１０６ａ（実質的には大気であり、以下、この空間１０６ａについては、単に大気という）と大気室１７１とを連通する吸気口（図示省略）が設けられ、この吸気口には、吸入弁（図示省略）が設けられている。吸入弁は、大気の空気を大気室１７１に吸入するべく吸気口を開閉する逆止弁として構成され、大気室１７１側に配置されている。吸入弁は、大気室１７１の室内と室外との圧力差に基づき大気室１７１側に弾性変形することで大気から大気室１７１への空気の流れを許容し、その逆の流れを規制する構成とされる。
【００２０】
スライドエンドプレート１２９には、大気室１７１と第１燃焼室１２１とを連通する吸気口（図示省略）が形成され、この吸気口には、吸入弁（図示省略）が設けられている。吸入弁は、大気室１７１内の空気を第１燃焼室１２１に吸入するべく吸気口を開閉する逆止弁として構成され、第１燃焼室１２１側に配置されている。そして吸入弁は、第１燃焼室１２１と大気室１７１との圧力差に基づき当該第１燃焼室１２１側に弾性変形することで大気室１７１から第１燃焼室１２１への空気の流れを許容し、その逆の流れを規制する構成とされる。
【００２１】
また大気室壁１７３における固定エンドプレート１７５には、便宜上図示を省略するが、当該大気室１７１内に釘打機１０１の長軸方向に所定長さで突出する棒状のシール部材が設けられている。このシール部材は、燃焼室用の吸気口と対向するように配置されており、燃焼室壁１２６が後退端部（後端側ストロークエンド）に位置したときに、燃焼室用の吸気口内に嵌まり込むことで、当該吸気口を密封するとともに、嵌り込んだ状態では、前端面が吸入弁の背面（後面）に当接する構成とされる。
【００２２】
点火装置１３１は、点火用プラグ１３３および高圧電流を発生させる圧電素子（図示省略）を主体として構成される。点火用プラグ１３３の点火部を構成する一方の電極（陽極）１３３ａは、第１燃焼室１２１の端部壁面を構成するスライドエンドプレート１２９の中央部に配置されている。点火用プラグ１３３の点火部を構成する他方の電極（陰極）１３３ｂは、スライドエンドプレート１２９の中央部から外れた位置に配置されるとともに、第１燃焼室１２１の中央部側へと延出され、一方の電極１３３ａの先端（前端）に対し所定の隙間を置いて対向されている。
【００２３】
一方の電極１３３ａは、固定エンドプレート１７５に設けた導電材料製（金属製）の導電部材１３５および電気配線１３６を介して圧電素子と電気的に接続される。一方の電極１３３ａは、釘打機１０１の長軸方向に延びる棒状に形成されるとともに、その後端部がスライドエンドプレート１２９の後端面から所定の長さで突出されている。導電部材１３５は２枚の板が互いに対向するように形成されたU型金具として構成されるとともに、一方の電極１３３ａの後端部に対して対向するように配置される。そして燃焼室壁１２６が前方または後方へ移動することに伴い一方の電極１３３ａが導電部材１３５の板と板との間に挿入あるいは引き抜かれる構成とされる。すなわち、一方の電極１３３ａは、燃焼室壁１２６が第２燃焼室１２２の容積を最大付近とする位置へ移動されたときには、導電部材１３５に接触することで電気的に接続されて点火を許容され、燃焼室壁１２６が第２燃焼室１２２の容積を減少する方向へ移動したときには、導電部材１３５から離間することで電気的接続が断たれて点火を規制される構成とされる。
【００２４】
導電部材１３５は、固定エンドプレート１７５に設けられた電気絶縁材料からなる保持部材１３７の保持孔１３７ａ内に配置されている。導電部材１３５の２枚の板は、前端側においてその対向間隔が一方の電極１３３ａの外径よりもやや狭い間隔に設定され、これによって当該一方の電極１３３ａと接触する導電部１３５ａを構成している。そして接触部１３５ａに一方の電極１３３ａが挿入された状態では、当該電極１３３ａを挿入方向と交差する方向から挟み込むように弾発力を作用する。これにより燃焼室壁１２６が後方へ移動されるとき、導電部材１３５の導電部１３５ａは、燃焼室壁１２６が後退端（ストロークエンド）に接近した時点で電極１３３ａの後端に接触し、その後、後退端に達するまで接触状態を維持する。なお、点火装置１３１の点火動作は、ハンドグリップ１０５に配置されたトリガ１０７の引き絞り操作によって圧電素子を変形させ、これにより発生した高圧電流を電極１３３ａ，１３３ｂ間に放電させることで遂行される。また他方の電極１３３ｂはスライドエンドプレート１２９にボディアースされている。
【００２５】
燃料噴射装置１４１は、第１燃焼室１２１から隔壁部１２３を貫通して第２燃焼室１２２へと延在するパイプ状部材１４５を主体として構成され、当該パイプ状部材１４５には、各燃焼室１２１，１２２に臨む適所に燃料噴射孔１４３が穿設状に形成されている。なお燃料噴射装置１４１は燃料容器（燃料ボンベ）１４９に接続されて燃料の供給を受ける。燃料噴射装置１４１による燃料噴射量は、第１燃焼室１２１および第２燃焼室１２２の各実効容積に応じて個別に設定されている。燃料噴射装置１４１は、本発明における「燃料供給装置」に対応する。
【００２６】
燃料噴射装置１４１を構成するパイプ状部材１４５は、スライドエンドプレート１２９に固定されるとともに、一端（先端）側が第１燃焼室１２１を構成する隔壁部１２３の球面状部分１２３ｂの内周面に沿って延在するとともに、当該球面状部分１２３ｂの中心部を貫通して第２燃焼室１２２へと突出されている。そして球面状部分１２３ｂを貫通して第２燃焼室１２２内に突出されたパイプ状部材１４５の突出先端部１４５ａには、第２燃焼室１２２内に燃料を斑なく噴射させるべく径方向（放射状）に貫通する複数の燃料噴射孔１４３が設けられている。燃焼室壁１２６が第２燃焼室１２２の容積を減少する方向へ移動するとき、パイプ状部材１４５の突出先端部１４５ａは、ピストン１５５の頂面中央部に形成された格納空間１５５ｂに収容される構成とされ、これにより第２燃焼室１２２の容積が零または零に近い状態まで減少することが可能とされる。
【００２７】
なおパイプ状部材１４５の他端（基端）側は、スライドスリーブ１２７の外周面と固定スリーブ１７７の内周面との間を通って延在するとともに、燃料容器１４９から供給された燃料を導く燃料通路構成部材１４６の燃料供給通路１４７内に挿入されており、燃焼室壁１２６の移動に伴い燃料供給通路１４７内を摺動する構成とされる。なお燃料容器１４９からの燃料の供給は、コンタクトアーム１１１を被加工材Ｗに押し付けける動作に連動して遂行される構成とされる。上記の燃料通路構成部材１４６およびパイプ状部材１４５は、本発明における「燃料供給経路」に対応する。
【００２８】
燃料噴射装置１４１における燃料通路構成部材１４６には、第１および第２燃焼室１２１，１２２内に冷却用の空気を取り込むための空気供給部１８１が設けられている。空気供給部１８１は、大気中（ハウジング１０３の内部空間１０４）の空気を燃料供給通路１４７に導入する空気取入口１８３と、当該空気取入口１８３を開閉する逆止弁１８５とを主体に構成されている。逆止弁１８５は、大気の空気を燃料供給通路１４７に導入するべく空気取入口１８３を開閉する一方向弁として構成され、燃料通路構成部材１４６の内側に配置されている。逆止弁１８５は、燃料供給通路１４７の圧力、すなわち第１および第２燃焼室１２１，１２２の圧力と大気との圧力差に基づき燃料供給通路１４７側に弾性変形することでハウジング１０３の内部空間１０４から燃料供給通路１４７への空気の流れを許容し、その逆の流れを規制する構成とされる。
【００２９】
駆動部１５１は、ハウジング１０３内に収容されたシリンダ１５３と、このシリンダ１５３内に摺動可能に配置されたピストン１５５と、このピストン１５５に一体状に連接されたピストンロッド１５７を主体として構成される。ピストンロッド１５７の先端側は、射出部１１０内に配されて釘（図示省略）を前方に打ち出すための射出装置に連接されている。またシリンダ１５３内部の先端側には、高速駆動されたピストン１５５の衝撃を吸収緩和してピストン１５５を受け止めるためのクッションラバー１５９が適宜配置されている。さらにシリンダ１５３には、当該シリンダ１５３のボア１５３ｂ内をハウジング１０３の内部空間１０４に連通する通気口１１４が設けられ、この通気口１１４は、図示省略の逆止弁で開閉される。なお逆止弁は、シリンダ１５３のボア１５３ｂ内の気体が内部空間１０４に流出することを許容する一方、内部空間１０４の気体がシリンダ１５３のボア１５３ｂ内に流入することを規制する一方向弁として構成されている。
【００３０】
マガジンは、釘打機１０１のハウジング１０３先端側に形成された射出部１１０に取り付けられ、相互に連接された多数の釘を収容するとともに、打込み対象となる釘を射出部１１０に臨ませる。そして射出部１１０の先端に前述したコンタクトアーム１１１が配される。コンタクトアーム１１１は、射出部１１０の長軸方向（すなわち釘打機１０１の長軸方向であって、図１〜図３では左右方向に相当する）につき、当該射出部１１０に対し相対的に摺動動作可能とされ、常時にはスプリングによって先端側（図１〜図３において左側）へと付勢されている。なお上記のスプリングは、前述したスライドスリーブ１２７の付勢手段を兼用する。
【００３１】
本実施の形態に係る釘打機１０１は上記のように構成される。次に当該釘打機１０１の作用について説明する。釘打機１０１は常には図１図に示す状態を初期状態としている。この初期状態では、スプリングの付勢力によって燃焼室壁１２６が前方へ移動されており、第２燃焼室１２２の容積が最小（零または零に近い状態）まで減少され、大気室１７１の容積が最大に増大されている。またピストン１５５が上死点に位置している。また点火用プラグ１３３の一方の電極１３３ａが導電部材１３５から離間されており、当該電極１３３ａに対する電気的接続が断たれてプラグの点火が規制されている。
【００３２】
かかる状態で、釘打機１０１を用いて釘の打込み作業を遂行するには、図２に示すように、まずコンタクトアーム１１１を被加工材Ｗに当接後、作業者が当該被加工材方向への押圧力を釘打機１０１に作用させる。するとコンタクトアーム１１１はスプリングによる付勢力に抗しつつ被加工材Ｗから離間する側へと後退動作する。コンタクトアーム１１１の後退動作により、当該コンタクトアーム１１１と連接された燃焼室壁１２６が後退動作する。この燃焼室壁１２６の後退動作により、第２燃焼室１２２の容積が増大されるとともに、大気室１７１の容積が減少される。そして、スライドエンドプレート１２９の外周後端部が大気室壁１７３の固定エンドプレート１７５の外周前端面に当接することで燃焼室壁１２６の移動が規制される。このとき、第２燃焼室１２２の容積が最大状態とされ、大気室１７１の容積が最小状態とされる。また第１燃焼室１２１の容積と第２燃焼室１２２の容積が所定の容積比に設定されることになる。
【００３３】
また燃焼室壁１２６が後退動作し、後退端に接近した時点で一方の電極１３３ａが導電部材１３５に接触し、当該導電部材１３５および電気配線１２６を介して圧電素子と電気的に接続された状態となる。さらにまた、シール部材が燃焼室用の吸気口に嵌まり込んで封止（シール）するとともに、シール部材の先端が吸気弁の背面に当接する。
【００３４】
また燃焼室壁１２６の後退動作時において、当該燃焼室壁１２６が後退端に接近した時点で燃料容器１４９から燃料が供給され、当該燃料が燃料供給通路１４７、パイプ状部材１４５を経て給送され、当該パイプ状部材１４５に設けられた燃料噴射孔１４３から各燃焼室１２１，１２２に噴射される。この場合、本実施の形態においては、第１燃焼室１２１では、その後に遂行される点火時の着火効果を高めるべく、燃料が点火プラグの中心、すなわち点火部に向かって噴射される構成とされる。一方、第２燃焼室１２２では、燃料が燃料噴射孔１４３から第２燃焼室１２２の径方向に放射状に噴射される。第１および第２燃焼室１２１，１２２への燃料供給量は、各燃焼室１２１，１２２の容積に応じてそれぞれ設定されている。また噴射された燃料は、各燃焼室１２１，１２２内の空気と混合され、これにより各燃焼室１２１，１２２内は混合気で満たされる。なお燃料容器１４９から燃料が供給されたとき、燃料供給通路１４７内の圧力は、ハウジング１０３の内部空間１０４の圧力（大気圧）よりも高い。このため、逆止弁１８５による空気取入口１８３の閉止状態が保持され、燃料供給通路１４７内の燃料が空気取入口１８３から漏出することを防止する。
【００３５】
コンタクトアーム１１１の後退動作後、作業者がハンドグリップ１０５に設けられたトリガ１０７を引き絞り操作すると、第１燃焼室１２１に設けられた点火装置１３１による点火動作が遂行される。これらにより第１燃焼室１２１内における点火・燃焼動作が円滑かつ高効率で実現される。
【００３６】
点火装置１３１による点火動作がなされると、第１燃焼室１２１内に充填された混合気は点火部近傍領域より着火され、第１燃焼室１２１内の混合気の燃焼が開始される。混合気の燃焼作用は爆発的であり、当該混合気の燃焼面（火焔面）が非常に短い時間で隔壁部１２３へ到達する。このとき、本実施の形態では、隔壁部１２３につき、点火部を中心とする概ね等径の球面状部分１２３ｂとして構成しているため、点火部から発した混合気の燃焼面は、当該点火部に対して等半径とされた球面状部分１２３ｂへと概ね同時に到達する。このため、隔壁部１２３の境界面全体に渡って、第２燃焼室１２２の着火タイミングを各連通孔１２５で統一化することが可能であり、第２燃焼室１２２での燃焼開始タイミングを効果的にコントロールすることが可能とされる。
【００３７】
第２燃焼室１２２内に充填された混合気は、隔壁部１２３の表面全体領域より各連通孔１２５を経て同時的に着火され、第２燃焼室１２２内の混合気の燃焼が開始される。第２燃焼室１２２の容積は、第１燃焼室１２１の容積よりも大きく設定されており、第２燃焼室１２２内の混合気の燃焼により大きな燃焼圧力が発生する。これにより、ピストン１５５は、シリンダ１５３内を被加工材方向へと摺動状に移動動作（前進）されることとなる。
【００３８】
なおピストン１５５がシリンダ１５３内を摺動動作する際、当該摺動動作に伴ってピストンロッド１５７側のシリンダ１５３内部空間が縮小されていくが、かかる空間内の空気は、シリンダ１５３の先端側に設けた空気の放出口１１５を通じて外部（ハウジング１０３の内部空間１０４）に放出されるため、ピストン１５５の摺動動作を阻害することはない。また第１燃焼室１２１の燃焼時に当該第１燃焼室１２１内は、相当の高圧状態となるが、本実施の形態では、燃焼室用の吸気口内に差し込まれたシール部材によって吸入弁の背面を支持し、これにより吸入弁が燃焼時の高圧により変形あるいは破損することから保護し、当該吸入弁の耐久性を向上し、また第１燃焼室１２１内のガスが吸気口から大気室１７１に流出することを未然に防止することができる。
【００３９】
ピストン１５５がシリンダ１５３内を摺動動作するのに連動してピストンロッド１５７が被加工材方向へと直線状に移動し、これによって射出部１１０にセットされた釘が被加工材側へと高速で射出されて打込まれる。このときシリンダ１５３内を被加工材方向へ高速移動したピストン１５５は、クッションラバー１５９に当接し、その運動エネルギが吸収緩和されて停止する。すなわち、ピストン１５５は下死点に到達して停止する。なおピストン１５５の下死点への移動時において、当該ピストン１５５が通気口１１４を通過すると、第１および第２燃焼室１２１，１２２内に必要以上の圧力が発生している場合、すなわち余剰燃焼圧が発生しているときには、当該通気口１１４を通じて燃焼ガスが室外（ハウジング１０３の内部空間１０４）へと排出される。
【００４０】
釘の打込み作業が終了する段階では、第１および第２燃焼室１２１，１２２内に収縮冷却作用が生じる。これによって当該第１および第２燃焼室１２１，１２２内に負圧が発生し吸引作用が生じる。このため、ピストン１５５は被加工材Ｗから離間する側へと自動的に後退動作を開始する。この状態が図３に示される。
【００４１】
このとき、図３に示すように、第１および第２燃焼室１２１，１２２内の負圧と、ハウジング１０３の内部空間１０４の圧力（大気圧）との差によって、当該内部空間１０４の空気が空気供給部１８１の空気取入口１８３から逆止弁１８５を押し退けて燃料供給通路１４７内に流入する。当該燃料供給通路１４７に流入した空気は、パイプ状部材１４５を経て当該パイプ状部材１４５に設けられた燃料噴射孔１４３から第１および第２燃焼室１２１，１２２内に流出（噴出）される。このようにして第１および第２燃焼室１２１，１２２に流出された空気は、当該第１および第２燃焼室１２１，１２２内の燃焼ガスを冷却する。すなわち、第１および第２燃焼室１２１，１２２内に流出された空気によって燃焼ガスの冷却を促進するため、当該燃焼ガスの冷却に伴い生ずる負圧によりピストン１５５の初期位置への後退動作が確実に、かつ素早く行われることになる。なお第１および第２燃焼室１２１，１２２への空気の導入（取り込み）は、当該第１および第２燃焼室１２１，１２２内の圧力が内部空間１０４の圧力（大気圧）に近づいた時点あるいは等圧に達した時点で終わる。
【００４２】
また作業者が被加工材方向へと作用させていた釘打機１０１に対する押圧加重を解除することにより、ハウジング１０３側へ相対的に後退していたコンタクトアーム１１１が、スプリングの付勢力を介して前方（被加工材方向）へ移動する。コンタクトアーム１１１の前進動作に伴って、燃焼室壁１２６が前方（ピストン１５５側）へ移動する。これにより、燃焼室壁１２６のスライドスリーブ１２７の小径部１２７ａがシリンダ１５３のフランジ部１５３ａから離れ、当該スライドスリーブ１２７の内周面とフランジ部１５３ａの外周面との間に間隙１２７ｂが生じ、第２燃焼室１２２が当該間隙１２７ｂを経て室外（ハウジング１０３の内部空間１０４）に連通される。
【００４３】
燃焼室壁１２６の前進動作により、図４に示すように、第２の燃焼室１２２の容積が減少されるとともに、スライドスリーブ１２７の内周面とフランジ部１５３ａの外周面間の間隙１２７ｂを経て第２燃焼室１２２が室外と連通される。すると、第２燃焼室１２２内の排気ガスは、当該第２燃焼室１２２の容積が減少されることに伴い間隙１２７ｂを経て室外へと排出される。一方、燃焼室壁１２６の前進動作により、スライドエンドプレート１２９が固定エンドプレート１７５から離れ、それに伴い大気室１７１の容積が増大されるとともに、シール部材が燃焼室用の吸気口から抜け出し、当該吸気口を開放する。また一方の電極１３３ａが導電部材１３５から離れ、電気的接続が遮断される。
【００４４】
大気室１７１内の容積が増大されると、それに伴い当該大気室１７１内の圧力が低下する。その結果、大気室１７１内の圧力と、ハウジングキャップ１０６内の大気圧との圧力差によって当該ハウジングキャップ１０６内の空気が大気室用の吸気口から吸入弁を押し退けて吸入される。このとき、燃焼室用の吸入弁は、燃焼室用の吸気口の周縁部に密着され、第１燃焼室１２１内の排気ガスが大気室１７１内に流出（漏出）することを防止する。そして燃焼室壁１２６が前進端（ストロークエンド）に達した時点で、第２燃焼室１２２の容積が最小（零）となり、当該第２燃焼室１２２内の排気ガスが室外へと排出され、一方大気室１７１の容積が最大となり、当該大気室１７１内には新鮮な空気が貯留される。すなわち、図１に示す初期状態に復帰する。
【００４５】
引き続いて釘打ち作業を遂行するべくコンタクトアーム１１１を被加工材Ｗに押し付けると、前述したように、燃焼室壁１２６が後退動作される。この燃焼室壁１２６の後退動作により、第２燃焼室１２２の容積が増大されるとともに、大気室１７１の容積が減少されるため、当該大気室１７１内の空気が圧縮されて燃焼室用の吸気口から吸入弁を押し退けて第１燃焼室１２１へと強制的に押し込まれる。この空気の第１燃焼室１２１への強制押し込みによって、当該第１燃焼室１２１内に残留する排気ガスは、連通孔１２５を通って第２燃焼室１２２へと押し出され、さらには間隙１２７ｂを経て室外へと排出される。すなわち、第１燃焼室１２１内に残留する排気ガスは、大気室１７１から流入する空気によって第２燃焼室１２２へと押し出された後、室外へと放出され、第１および第２燃焼室１２１，１２２の、いわゆる掃気が遂行されることとなる。この場合、隔壁部１２３の球面状部分１２３ｂには多数の連通孔１２５が配置されているため、第２燃焼室１２２内の全体にわたって空気が概ね均等に流れ込む。かくして、第１および第２燃焼室１２１，１２２内において、排気ガスから空気への入れ替えが円滑になされ、排気ガスの残留量が減少される。その結果、特に釘打ち込み作業を連続的に行うような場合においては、次回の第１および第２燃焼室１２１，１２２に噴射される燃料と空気との混合比の適正化を図る上で有効となる。
【００４６】
燃焼室壁１２６が後退端に達したとき（図２に示す状態）には、第１および第２燃焼室１２１，１２２内は、新鮮な空気によって満たされる。この場合、本実施の形態では、大気室１７１の最大容積を、第１および第２燃焼室１２１，１２２の最大総容積よりも大きく設定してある。このため、第１および第２燃焼室１２１，１２２内には、それらの容積を上回る容量の空気が送り込まれることとなり、第１および第２燃焼室１２１，１２２内の排気ガスを確実に室外に排出し、新鮮な空気と入れ替えることができる。
【００４７】
また燃焼室壁１２６が後退端に達したときは、電極（陽極）１３３ａが導電部材１３５に挿入し、当該導電部材１３５および電気配線１２６を介して圧電素子と電気的に接続され、点火動作が許容される。またシール部材が燃焼室用の吸気口に差し込まれて当該吸気口をシールするとともに、吸入弁の背面に当接することで当該吸入弁に対する高圧の作用に備える。またスライドスリーブ１２７の小径部１２７ａの内周面がシリンダ１５３のフランジ部１５３ａの外周面にＯリング１５４を介して摺接し、間隙１２７ｂを閉鎖する。これにより第２燃焼室１２２が密閉空間とされる。かかる状態で、トリガ１０７を引き絞り操作すると、その後は上述した動作が繰り返され、釘打ち作業が遂行されることになる。
【００４８】
上記のように、本実施の形態によれば、容積が変化しない第１燃焼室１２１と、容積が変化する第２燃焼室１２２とを有する燃焼室構造において、燃焼室壁１２６を前後に移動することによって、大気室１７１の容積を変化させ、第２燃焼室１２２内の排気ガスを室外へ排出した後、大気室１７１内に取り込んだ空気を第１燃焼室１２１内に強制的に送り込み、これによって第１燃焼室１２１内に残留する排気ガスを当該第１燃焼室１２１から第２燃焼室１２２を経て室外へ排出する構成としている。その結果、第１燃焼室１２１の容積を変化させることなく、第１および第２燃焼室１２１，１２２内の排気ガスを効率的に室外へ排出し、当該第１および第２燃焼室１２１，１２２内を新鮮な空気で満たすことが可能となる。
【００４９】
すなわち、本実施の形態では、燃焼室が第１および第２燃焼室１２１，１２２から構成される釘打機１０１において、混合気の燃焼効率を高めるべく、第１燃焼室１２１に点火用プラグ１３３を設けるとともに、当該第１燃焼室１２１内で点火部によって点火された混合気の燃焼面が隔壁部１２３の連通孔１２５に概ね同時に到達するように、隔壁部１２３が点火部を中心とする等半径の球面状部分１２３ｂを有する構成としている。このような構成では、第１燃焼室１２１の容積を変化（減少）させて排気ガスを排出することが困難となるが、本実施の形態によれば、第１燃焼室１２１から第２燃焼室１２２への火炎噴射を効率良く行うことで混合気の燃焼効率を高めるべく、第１燃焼室１２１を構成する隔壁部１２３の形状を半球面状に形成するという構成を維持しつつ排気ガスの排出作用を効果的に遂行することができる。
【００５０】
この場合、大気室１７１の最大容積を第１および第２燃焼室１２１，１２２の総容積よりも大きく設定してあるため、第１および第２燃焼室１２１，１２２にそれらの容積を上回る容量の空気を送り込むことによって、排気ガスと空気との入れ替えを確実に行うことができる。釘打ち作業を連続して遂行するような場合、すなわち短時間のうちに第２燃焼室１２２の容積の減少、増大が繰り返されるような場合、当該第２燃焼室１２２から排出された排気ガスがその出口周辺部に存在している可能性がある。そしてこの排気ガスが第２燃焼室１２２の容積が増大されるときに当該燃焼室に再び吸入される、すなわち逆流する可能性がある。本実施の形態では、第１および第２燃焼室１２１，１２２にそれらの容積を上回る容量の空気を送り込む構成とすることによって、いわゆる逆流防止手段を構成しているため、排気ガスの当該燃焼室への逆流を確実に防止することができる。また本実施の形態では、第１燃焼室１２１を容積が変化しない定常的な構成としたことにより、当該第１燃焼室１２１内の中央部に点火装置１３１あるいは燃料供給用のパイプ状部材１４５を配置設定することができる。これにより、第１燃焼室１２１に発生した火炎（可燃性ガスの燃焼面）が第２燃焼室１２２へ均等かつ効率良く噴射させることが可能となる。
【００５１】
ところで、燃焼室壁１２６の先端方向への前進動作は、作業者の、釘打機１０１に対する被加工材方向への押圧加重の解除時期に支配されるものであり、そして燃焼室壁１２６の前進動作が開始される前の段階で、ピストン１５５が後退動作を終了して前進動作開始前の初期位置に復帰されていることが必要である。
【００５２】
本実施の形態においては、釘の打込み作業が終了した段階で、第１および第２燃焼室１２１，１２２内の燃焼ガスが冷却することに伴い発生する当該第１および第２燃焼室１２１，１２２内の負圧を利用して空気供給部１８１から第１および第２燃焼室１２１，１２２内に空気を導入する（取り込む）構成としている。このことによって第１および第２燃焼室１２１，１２２内の燃焼ガスを効率良く冷却することができる。第１および第２燃焼室１２１，１２２内の燃焼ガスは、燃焼室１２１，１２２の壁面に近い領域では当該壁面との間での熱伝達によって効率的に冷却されるが、壁面から離れた中央領域では冷却され難い。本実施の形態によれば、燃焼室１２１，１２２の中央領域に空気を導入する構成であり、このことによって、壁面との熱伝達による冷却作用が及び難い中央領域の燃焼ガスを効率良く冷却することができる。
【００５３】
また本実施の形態では、第１燃焼室１２１については、当該第１燃焼室１２１の壁面に沿って配置されたパイプ状部材１４５の燃料噴射孔１４３から第１燃焼室１２１の中央に向って空気を勢いよく流出させる構成としている。また第２燃焼室１２２については、パイプ状部材１４５を当該燃焼室１２２の中心を通って長軸方向に延びる中心線上に位置するように配置し、その突出先端部１４５ａに設けた燃料噴射孔１４３から第２燃焼室１２２の半径方向へと勢いよく流出させる構成としている。このようにして燃料噴射孔１４３から勢いよく流出する空気によって第１および第２燃焼室１２１，１２２内の燃焼ガスが攪拌され、中央領域と壁面に近い周辺領域との間で燃焼ガスが入れ替わることになり、壁面との間での熱伝達率が増大する。すなわち、本実施の形態によれば、第１および第２燃焼室１２１，１２２内に導入された空気による燃焼ガスの直接の冷却と、燃焼ガスを攪拌して第１および第２燃焼室１２１，１２２の壁面との間での熱伝達率を増大させることによる冷却とが行われることで、燃焼ガスを効率良く冷却することができる。その結果、当該燃焼ガスの迅速な冷却に伴い生ずる負圧によりピストン１５５が初期位置へ確実かつ素早く後退動作し、作業者による連続した釘打ち作業に対応することができる。
【００５４】
また本実施の形態では、第１および第２燃焼室１２１，１２２への冷却用空気の導入手段として燃料噴射装置１４１を利用したことによって、合理的な空気の導入方式を構築できる。また燃料供給と冷却用空気の導入を１つの装置で兼用できるため、燃料供給と空気の導入を個別的に行う構成に比べて、釘打機１０１の構造の簡素化、小型化、コストの低減化を図る上で有利となる。
【００５５】
なお燃焼室１２１，１２２内に空気が過剰に取り込まれたような場合には、燃焼室１２１，１２２内に発生する負圧が所定の値まで達せず、むしろピストン１５５の後退速度を低下させてしまう可能性がある。よって、空気の導入量については、この点を考慮して設定する必要がある。
【００５６】
（本発明の第２の実施形態）
次に第２の実施形態につき図５を参照して説明する。この第２の実施形態では、ピストン１５５の前進動作による釘打ち終了段階において、第１および第２燃焼室１２１，１２２内に生ずる負圧を利用して行う第１および第２燃焼室１２１，１２２内への冷却用空気の導入を、ピストン１５５に設けた小孔１９１によって行う構成としたものであり、この点を除く釘打機１０１の各部の構成については、前述した第１の実施形態と同様である。したがって、図５において、主要な構成部材につき第１の実施形態と同一符号を付してその説明を省略する。本実施の形態では、ピストン１５５の球面状凹部１５５ａに適数個の小孔１９１を設け、当該ピストン１５５の前後の圧力差によって、冷却用の空気がピストン１５５の後側のボア１５３ｂ中央部、すなわち第２燃焼室１２２の中央領域に向って流出（噴射）する構成としている。
【００５７】
ピストン１５５の前進動作による釘の打込み作業が終了した段階において、第２燃焼室１２２内の燃焼ガスの冷却により当該第２燃焼室１２２内に負圧が生ずると、ピストン１５５を挟んでその前後に圧力差が生じ、この圧力差によって小孔１９１から第２燃焼室１２２内の中央領域に向って空気が流出する。このようにして第２燃焼室１２２内に導入された空気は、当該第２燃焼室１２２内の燃焼ガスを冷却する。また第２燃焼室１２２に流出した空気は、隔壁部１２３の連通孔１２５を通って第１燃焼室１２１へと流入することで当該第１燃焼室１２１内の燃焼ガスを冷却する。また第２燃焼室１２２内に流出した空気は、当該第２燃焼室１２２内の燃焼ガスを攪拌し、中央領域と壁面に近い周辺領域との間で燃焼ガスを流動させ、壁面との間での熱伝達率を増大させる。
このように本実施の形態の場合によれば、前述した第１の実施形態と同様、第１および第２燃焼室１２１，１２２内の燃焼ガスを効率良く冷却することができ、その結果、当該燃焼ガスの迅速な冷却に伴い生ずる負圧によりピストン１５５を初期位置へ確実にかつ素早く後退動作させ、作業者による連続した釘打ち作業に対応することができる。
【００５８】
なお第１の実施形態では、第１および第２燃焼室１２１，１２２に燃焼ガスを冷却するべく空気を導入する手段として、燃料噴射装置１４１を利用したが、燃料噴射装置１４１を利用しない形態であっても差し支えない。また冷却用の空気を第１および第２燃焼室１２１，１２２の中央領域に導入する構成としたが、空気の導入領域については、特に限定されるものではなく、例えば燃焼室の側壁あるいはシリンダの側壁等、任意に設定することが可能である。また本実施の形態は、燃焼室が第１および第２燃焼室１２１，１２２から構成される場合で説明しているが、燃焼室の数については特に問題にするものではない。また本実施の形態は、釘打機の場合で説明しているが、いわゆるステーブルの打ち込み作業に用いられるタッカに適用可能である。
【００５９】
上記発明の趣旨に鑑み、以下の態様を構成することが可能とされる。
（態様１）
「請求項１または２に記載の燃焼式作業工具であって、
前記外部の空気は、前記燃焼室の中央領域から周辺領域に向かって流出するように取り込むことを特徴とする燃焼式作業工具。」
態様１に記載の発明によれば、外部の空気を燃焼室の中央領域から周辺領域に向かって流出する態様で取り込むことによって、当該取り込まれた空気によって燃焼室内の燃焼ガスを攪拌し、熱伝達率の悪い中央領域の燃焼ガスを熱伝達率のよい壁面近くの周辺領域へと流動させることができる。その結果、壁面との間での熱伝達率が増大する。このように、本発明によれば、取り込まれた空気による燃焼ガスの直接の冷却と、燃焼ガスの攪拌による壁面との間での熱伝達率が増大することによる冷却とによって、燃焼ガスを効率良く冷却することができる。
【図面の簡単な説明】
【００６０】
【図１】本実施の形態に係る釘打機の全体構成を示す正面視一部断面図であり、ピストンが上死点に位置する初期状態を示している。
【図２】同じく釘打機の全体構成を示す正面視一部断面図であり、燃焼室壁が後退動作されて第２燃焼室の容積が最大に増大された状態（被加工材にコンタクトアームが押付けられた状態）を示している。
【図３】同じく釘打機の全体構成を示す正面視一部断面図であり、ピストンが下死点に移動した後、所定量だけ後退動作した状態を示している。
【図４】燃焼室周辺部の拡大断面図である。
【図５】第２の実施形態に係る釘打機の全体構成を示す正面視一部断面図である。
【符号の説明】
【００６１】
１０１  釘打機（燃焼式作業工具）
１０３  ハウジング
１０４  内部空間
１０５  ハンドグリップ
１０６  ハウジングキャップ
１０６ａ  空間
１０６ｂ  通気孔
１０７  トリガ
１１０  射出部
１１１  コンタクトアーム
１１４  通気口
１２１  第１燃焼室（燃焼室）
１２２  第２燃焼室（燃焼室）
１２３  隔壁部
１２３ａ  平坦面部
１２３ｂ  球面状部分
１２４  ネジ
１２５  連通孔
１２６  燃焼室壁
１２７  スライドスリーブ
１２７ａ  小径部
１２７ｂ  間隙
１２８  ネジ
１２９  スライドエンドプレート
１３１  点火装置
１３３  点火用プラグ
１３３ａ  一方の電極
１３３ｂ  他方の電極
１３５  導電部材
１３５ａ  導電部
１３６  電気配線
１３７  保持部材
１４１  燃料噴射装置（燃料供給装置）
１４３  燃料噴射孔（燃料供給経路）
１４５  パイプ状部材（燃料供給経路）
１４５ａ  突出先端部
１４６  燃料通路構成部材（燃料供給経路）
１４７  燃料供給通路
１４９  燃料容器
１５１  駆動部
１５３  シリンダ
１５３ａ  フランジ部
１５３ｂ  ボア
１５４  Ｏリング
１５５  ピストン
１５５ａ  球面状凹部
１５５ｂ  格納空間
１５７  ピストンロッド
１５９  クッションラバー
１７１  大気室
１７３  大気室壁
１７５  固定エンドプレート
１７７  固定スリーブ
１７９  Ｏリング
１８１  空気供給部
１８３  空気取入口
１８５  逆止弁
１９１  小孔
【図１】
2006305660.tif 000003
【図２】
2006305660.tif 000004
【図３】
2006305660.tif 000005
【図４】
2006305660.tif 000006
【図５】
2006305660.tif 000007